(57)【要約】      （修正有）【課題】接着部の接着強度を部分的に弱めた弱接着部を設け、一定以上の外力が加わった場合、弱接着部を破壊してそこから封入空気を抜いて外力を吸収する緩衝材であって、弱接着部の破壊後も衝撃力を吸収できる緩衝材を提供する。【解決手段】緩衝材Ｘは、空気が封入された本体10と、この本体10の内方に設けられた補助ポケット23と、この補助ポケット23は、外気に臨む通路Ｐを有している。本体10は第1のフィルム11と第2のフィルム12との間に形成された第1の空所に空気が封入されるように周縁同士が付着されている。【選択図】図４
2005119713.tif 000002
【特許請求の範囲】
【請求項１】
空気が封入された本体と、
この本体の内方に設けられた補助ポケットと、
この補助ポケットは、外気に臨む通路を有している
ことを特徴とする緩衝材。
【請求項２】
第１のフィルムと第２のフィルムとの間に形成された第１の空所に空気が封入される本体と、
この本体は内側に第２のフィルムが、外側に第１のフィルムが、それぞれ位置するように、前記第２のフィルムが対向すると共に、合致するように折り返されていると共に、対向する前記第２のフィルムの周縁の一部を残して対向する前記第２のフィルムの周縁同士が付着され、対向する前記第２のフィルムの間に第２の空所が形成され、対向する前記第２のフィルムの周縁の付着されていない部分は通路を形成し、該通路の一端が外気に、前記通路の他端が前記第２の空所に、それぞれ臨んでいる
ことを特徴とする緩衝材。
【請求項３】
矩形形状の第１のフィルムと、
この第１のフィルムに対向すると共に、前記第１のフィルムと同形状の第２のフィルムと、
対向する前記第１のフィルムと前記第２のフィルムの周縁の一部を残して対向する前記第１のフィルムと前記第２のフィルムの周縁同士が付着され、
対向する前記第１のフィルムと前記第２のフィルムとの間は、空気が封入される第１の空所が形成され、
付着されていない対向する前記第１のフィルムと前記第２のフィルムの周縁の一部に形成された前記第１の空所内への空気を入れる第１の通路と、
この第１の通路には、前記第１の空所内への空気が外方に出るのを阻止する阻止部材が設けられ、
前記第２のフィルムが対向すると共に、合致するように折り返され、内側に前記第２のフィルムが、外側に前記第１のフィルムが、それぞれ位置すると共に、対向する前記第２のフィルムの周縁の一部を残して対向する前記第２のフィルムの周縁同士が付着され、対向する前記第２のフィルムの間に第２の空所が形成され、
対向する前記第２のフィルムの周縁の付着されていない部分は第２の通路を形成し、該第２の通路の一端が外気に、前記第２の通路の他端が第２の空所に、それぞれ臨んでいる
ことを特徴とする緩衝材。
【請求項４】
矩形形状のフィルムと、
このフィルムは周縁が重なるように折り返され、対向する前記フィルムの周縁の一部を残して対向する前記フィルムの周縁同士が付着され、
対向する前記フィルムの間は、空気が封入される第１の空所が形成され、
付着されていない対向する前記フィルムの周縁の一部に形成された前記第１の空所内への空気を入れる第１の通路と、
この第１の通路には、前記第１の空所内への空気が外方に出るのを阻止する阻止部材が設けられ、
折り返された前記フィルムの一方は、第１のフィルムであり、折り返された前記フィルムの他方は、第２のフィルムであり、  
前記第２のフィルムが対向すると共に、合致するように折り返され、内側に前記第２のフィルムが、外側に前記第１のフィルムが、それぞれ位置すると共に、対向する前記第２のフィルムの周縁の一部を残して対向する前記第２のフィルムの周縁同士が付着され、対向する前記第２のフィルムの間に第２の空所が形成され、
対向する前記第２のフィルムの周縁の付着されていない部分は第２の通路を形成し、該第２の通路の一端が外気に、前記第２の通路の他端が第２の空所に、それぞれ臨んでいる
ことを特徴とする緩衝材。
【請求項５】
本体は、第１の空所、第２の空所に空気が侵入していない状態では、略扁平状の第１の長辺、第１の短辺、第２の長辺、第２の短辺からなる長方形状で、
第２の短辺より第１の短辺に近い側であって、対向する第１のフィルムと第２のフィルム、対向する第２のフィルム同士、対向する第２のフィルムと第１のフィルム部分を第１の短辺に沿って部分的に直線状に付着してなる第１の付着部と、
第１の短辺より第２の短辺に近い側であって、対向する第１のフィルムと第２のフィルム、対向する第２のフィルム同士、対向する第２のフィルムと第１のフィルム部分を第２の短辺に沿って部分的に直線状に付着してなる第２の付着部と、
この第２の付着部と前記第１の付着部との間であって、対向する第１のフィルムと第２のフィルム、対向する第２のフィルム同士、対向する第２のフィルムと第１のフィルム部分を第２の短辺に沿って部分的に直線状に付着してなる第３の付着部とを備え、
矩形形状の被緩衝体の第１のコ−ナ−が前記第１の付着部で、前記被緩衝材の第２のコ−ナ−が前記第２の付着部で、前記被緩衝材の第３のコ−ナ−が前記第３の付着部で、それぞれ折曲する
ことを特徴とする請求項２〜４記載の緩衝材。
【請求項６】
本体は、第１の空所、第２の空所に空気が侵入していない状態では、略扁平状の第１の長辺、第１の短辺、第２の長辺、第２の短辺からなる長方形状で、
第１の長辺より第２の長辺に近い側であって、対向する第１のフィルムと第２のフィルム部分を第２の長辺に沿って第１の短辺から第２の短辺まで直線状に付着してなる第１’の付着部と、
第２の長辺より第１の長辺に近い側であって、対向する第１のフィルムと第２のフィルム部分を第１の長辺に沿って第１の短辺から第２の短辺まで直線状に付着してなる第２’の付着部とを備え、                                                                被緩衝体を前記第１’の付着部と前記第２’の付着部との間に位置させる              ことを特徴とする請求項２〜５記載の緩衝材。
【請求項７】
本体は、第１の空所、第２の空所に空気が侵入していない状態では、略扁平状の第１の長辺、第１の短辺、第２の長辺、第２の短辺からなる長方形状で、
第２の短辺と第１の短辺との間にあって、対向する第１のフィルムと第２のフィルム、対向する第２のフィルム同士、対向する第２のフィルムと第１のフィルム部分を第１の短辺に沿って部分的に直線状に付着してなる付着部を備えている
ことを特徴とする請求項２〜４記載の緩衝材。
【発明の詳細な説明】
【技術分野】
【０００１】
本発明は、緩衝材に係り、特に、衝撃力吸収性に優れた緩衝材に関する。
【背景技術】
【０００２】
従来、緩衝材として、接着部の接着強度を部分的に弱めた箇所を設け、一定以上の外力が加わった場合、該外力により弱接着部分を破壊して、封入されている空気を弱接着部分から抜くことにより外力を吸収するようにしている（例えば、特許文献１参照）。
【特許文献１】特開平１１−１９３０７３号公報。
【発明の開示】
【発明が解決しようとする課題】
【０００３】
しかしながら、上述した緩衝材にあっては、一度の衝撃力は吸収できても、弱接着部分の破壊後は、衝撃力を吸収できないという不具合が生じた。
本発明は、上述した不具合を除去するようにした緩衝材を提供するものである。
【課題を解決するための手段】
【０００４】
上記目的を達成するために、請求項１記載の緩衝材は、空気が封入された本体と、この本体の内方に設けられた補助ポケットと、この補助ポケットは、外気に臨む通路を有している。
【０００５】
また、請求項２記載の緩衝材は、第１のフィルムと第２のフィルムとの間に形成された第１の空所に空気が封入される本体と、この本体は内側に第２のフィルムが、外側に第１のフィルムが、それぞれ位置するように、前記第２のフィルムが対向すると共に、合致するように折り返されていると共に、対向する前記第２のフィルムの周縁の一部を残して対向する前記第２のフィルムの周縁同士が付着され、対向する前記第２のフィルムの間に第２の空所が形成され、対向する前記第２のフィルムの周縁の付着されていない部分は通路を形成し、該通路の一端が外気に、前記通路の他端が前記第２の空所に、それぞれ臨んでいる。
【０００６】
また、請求項３記載の緩衝材は、矩形形状の第１のフィルムと、この第１のフィルムに対向すると共に、前記第１のフィルムと同形状の第２のフィルムと、対向する前記第１のフィルムと前記第２のフィルムの周縁の一部を残して対向する前記第１のフィルムと前記第２のフィルムの周縁同士が付着され、対向する前記第１のフィルムと前記第２のフィルムとの間は、空気が封入される第１の空所が形成され、付着されていない対向する前記第１のフィルムと前記第２のフィルムの周縁の一部に形成された前記第１の空所内への空気を入れる第１の通路と、この第１の通路には、前記第１の空所内への空気が外方に出るのを阻止する阻止部材が設けられ、前記第２のフィルムが対向すると共に、合致するように折り返され、内側に前記第２のフィルムが、外側に前記第１のフィルムが、それぞれ位置すると共に、対向する前記第２のフィルムの周縁の一部を残して対向する前記第２のフィルムの周縁同士が付着され、対向する前記第２のフィルムの間に第２の空所が形成され、対向する前記第２のフィルムの周縁の付着されていない部分は第２の通路を形成し、該第２の通路の一端が外気に、前記第２の通路
【０００７】
また、請求項４記載の緩衝材は、矩形形状のフィルムと、このフィルムは周縁が重なるように折り返され、対向する前記フィルムの周縁の一部を残して対向する前記フィルムの周縁同士が付着され、対向する前記フィルムの間は、空気が封入される第１の空所が形成され、付着されていない対向する前記フィルムの周縁の一部に形成された前記第１の空所内への空気を入れる第１の通路と、この第１の通路には、前記第１の空所内への空気が外方に出るのを阻止する阻止部材が設けられ、折り返された前記フィルムの一方は、第１のフィルムであり、折り返された前記フィルムの他方は、第２のフィルムであり、前記第２のフィルムが対向すると共に、合致するように折り返され、内側に前記第２のフィルムが、外側に前記第１のフィルムが、それぞれ位置すると共に、対向する前記第２のフィルムの周縁の一部を残して対向する前記第２のフィルムの周縁同士が付着され、対向する前記第２のフィルムの間に第２の空所が形成され、対向する前記第２のフィルムの周縁の付着されていない部分は第２の通路を形成し、該第２の通路の一端が外気に、前記第２の通路の他端が第２の空所に、それぞれ臨んでい
【０００８】
また、請求項５記載の緩衝材は、請求項２〜４記載の緩衝材において、本体は、第１の空所、第２の空所に空気が侵入していない状態では、略扁平状の第１の長辺、第１の短辺、第２の長辺、第２の短辺からなる長方形状で、第２の短辺より第１の短辺に近い側であって、対向する第１のフィルムと第２のフィルム、対向する第２のフィルム同士、対向する第２のフィルムと第１のフィルム部分を第１の短辺に沿って部分的に直線状に付着してなる第１の付着部と、第１の短辺より第２の短辺に近い側であって、対向する第１のフィルムと第２のフィルム、対向する第２のフィルム同士、対向する第２のフィルムと第１のフィルム部分を第２の短辺に沿って部分的に直線状に付着してなる第２の付着部と、この第２の付着部と前記第１の付着部との間であって、対向する第１のフィルムと第２のフィルム、対向する第２のフィルム同士、対向する第２のフィルムと第１のフィルム部分を第２の短辺に沿って部分的に直線状に付着してなる第３の付着部とを備え、矩形形状の被緩衝体の第１のコ−ナ−が前記第１の付着部で、前記被緩衝材の第２のコ−ナ−が前記第２の付着部で、前記被緩衝材の第３のコ−ナ
【０００９】
また、請求項６記載の緩衝材は、請求項２〜５記載の緩衝材において、本体は、第１の空所、第２の空所に空気が侵入していない状態では、略扁平状の第１の長辺、第１の短辺、第２の長辺、第２の短辺からなる長方形状で、第１の長辺より第２の長辺に近い側であって、対向する第１のフィルムと第２のフィルム部分を第２の長辺に沿って第１の短辺から第２の短辺まで直線状に付着してなる第１’の付着部と、第２の長辺より第１の長辺に近い側であって、対向する第１のフィルムと第２のフィルム部分を第１の長辺に沿って第１の短辺から第２の短辺まで直線状に付着してなる第２’の付着部とを備え、被緩衝体を前記第１’の付着部と前記第２’の付着部との間に位置させる。
【００１０】
また、請求項７記載の緩衝材は、請求項２〜４記載の緩衝材において、本体は、第１の空所、第２の空所に空気が侵入していない状態では、略扁平状の第１の長辺、第１の短辺、第２の長辺、第２の短辺からなる長方形状で、第２の短辺と第１の短辺との間にあって、対向する第１のフィルムと第２のフィルム、対向する第２のフィルム同士、対向する第２のフィルムと第１のフィルム部分を第１の短辺に沿って部分的に直線状に付着してなる付着部を備えている。
【発明の効果】
【００１１】
請求項１記載の緩衝材によれば、緩衝材に外力が加わると、補助ポケット内の空気が通路を介して外気に放出され、外力が軽減される。
【００１２】
また、請求項２〜４記載の緩衝材によれば、外側に位置する第１のフィルムに外力が加わると、対向する第２のフィルムの間に形成された第２の空所内の空気が通路を介して外気に放出され、外側に位置する第１のフィルムに加わる外力が軽減される。
【００１３】
また、請求項５記載の緩衝材によれば、本体内の第１の空所に空気が封入した状態で、緩衝材の第１の付着部、第２の付着部、第３の付着部で、それぞれ折曲することができるため、矩形形状の被緩衝体の周囲を緩衝材で覆って外力を軽減することができる。
【００１４】
また、請求項６記載の緩衝材によれば、本体内の第１の空所に空気が封入した状態で、緩衝材の第１’の付着部、第２’の付着部により凹所が形成されるため、被緩衝体の収納位置を容易にすることができる。
【００１５】
また、請求項７記載の緩衝材によれば、本体内の第１の空所に空気が封入した状態で、緩衝材の第１の付着部で、折曲することができるため、コ−ナ−部の緩衝体として使用することができる。
【発明を実施するための最良の形態】
【００１６】
本発明の一実施例の緩衝材を図面を参照して説明する。
図１乃至図15において、Ｘは緩衝材で、緩衝材Ｘは、被緩衝体（被包装物）100 が衝撃によって損傷しないように保護する部材で、空気が封入された本体10と、この本体10の内方に設けられた補助ポケット（第２の空所）23と有し、この補助ポケット23は、外気に臨む通路Ｐを有している。
この本体10は、例えば、第１のフィルム11と第２のフィルム12との間に形成された第１の空所13に空気が封入されるように、周縁同士が付着（例えば、熱溶着）されている。
そして、本体10は内側に第２のフィルム12が、外側に第１のフィルム11が、それぞれ位置するように、第２のフィルム12が対向すると共に、合致するように折り返されている（図９及び図10参照）と共に、対向する第２のフィルム12の周縁の一部を残して対向する第２のフィルム12の周縁同士が付着され、対向する第２のフィルム12の間に第２の空所23が形成されている。対向する第２のフィルム12の周縁の付着されていない部分は通路Ｐを形成し、通路Ｐの一端が外方、つまり、外気に、通路Ｐの他端が第２の空所23に、それぞれ臨んでいる。
【００１７】
従って、図２、図４に示すように、外側に位置する第１のフィルム11に外力が加わると、対向する第２のフィルム12の間に形成された第２の空所23内の空気が通路Ｐを介して第２の空所23の外、つまり、外気に放出され、外側に位置する第１のフィルム11に加わる外力が軽減される。
外側に位置する第１のフィルム11に加わる外力がなくなると、通路Ｐを介して第２の空所23内に外気が流入して元の状態に復帰し、待機状態となる（図１、図３参照）。
【００１８】
緩衝材Ｘは、次に述べるようにして製造することができる。
図８に示すように、第１のフィルム11は矩形形状であり、第２のフィルム12は第１のフィルム11に対向すると共に、第１のフィルム11と同形状の矩形形状となっている。
対向する第１のフィルム11と第２のフィルム12とは、対向する第１のフィルム11と第２のフィルム12との周縁の一部を残して対向する第１のフィルム11と第２のフィルム12の周縁同士が付着（例えば、熱溶着）される（図９参照）。
周縁の一部を残して対向する第１のフィルム11と第２のフィルム12の周縁同士が付着された結果、対向する第１のフィルム11と第２のフィルム12との間は、空気が封入される第１の空所13が形成される（図12、図13、図14、図15参照）。
なお、付着されていない対向する第１のフィルム11と第２のフィルム12の周縁の一部に第１の空所13内への空気を入れる第１の通路Ｐ1 が形成される。
この第１の通路Ｐ1 には、第１の空所13内への空気が外方に出るのを阻止する阻止部材（例えば、逆止弁、第１の通路Ｐ1 の通路を塞ぐもので、図９に示すように、対向するフィルムを逆ハの字形状に熱溶着して形成し、空気を逆ハの字形状の狭い側から注入し、注入後は、フィルムの外側より注入した空気の圧力がかかり、第１の通路Ｐ1 の通路が塞がれるようになっている。）が設けられる。
【００１９】
次に、図10に示すように、第２のフィルム12が対向すると共に、合致するように折り返され、内側に第２のフィルム12が、外側に第１のフィルム11が、それぞれ位置すると共に、対向する第２のフィルム12の周縁の一部を残して対向する第２のフィルム12の周縁同士が付着され、対向する第２のフィルムの間に第２の空所23が形成される（図10乃至図13参照）。
対向する第２のフィルム12の周縁の付着されていない部分は第２の通路Ｐ（又は通路Ｐ）を形成し、第２の通路Ｐ（又は通路Ｐ）の一端が外気に、第２の通路Ｐ（又は通路Ｐ）の他端が第２の空所23に、それぞれ臨むようになっている。。
対向する第２のフィルム12の周縁同士を付着する際、先ず、図10に示す第２のフィルム12の左辺を付着（例えば、熱溶着）し、付着後、図11に示すように、付着した左辺を右側にずらして、第２のフィルム12の上辺及び下辺を付着（例えば、熱溶着）する。このようにすることにより、図12及び図13に示すように、第１の空所13の断面形状を略対称とすることができる。
【００２０】
本体10は、図14及び図15に示すように、第１の空所13、第２の空所23に空気が侵入していない状態では、略扁平状の第１の長辺ＡＢ、第１の短辺ＢＣ、第２の長辺ＣＤ、第２の短辺ＤＡからなる長方形状となっている。
そして、第２の短辺ＤＡより第１の短辺ＢＣに近い側であって、対向する第１のフィルム11と第２のフィルム12、対向する第２のフィルム12同士、対向する第２のフィルム12と第１のフィルム11の部分を第１の短辺ＢＣに沿って部分的に直線状に付着（例えば、熱溶着）して第１の付着部１を形成する。
同様に、第１の短辺ＢＣより第２の短辺ＤＡに近い側であって、対向する第１のフィルム11と第２のフィルム12、対向する第２のフィルム12同士、対向する第２のフィルム12と第１のフィルム11の部分を第２の短辺ＤＡに沿って部分的に直線状に付着（例えば、熱溶着）して第２の付着部２を形成する。
同様に、第２の付着部２と第１の付着部１との間であって、対向する第１のフィルム11と第２のフィルム12、対向する第２のフィルム12同士、対向する第２のフィルム12と第１のフィルム11の部分を第２の短辺ＤＡに沿って部分的に直線状に付着（例えば、熱溶着）して第３の付着部３を形成する。
また、第１の長辺ＡＢより第２の長辺ＣＤに近い側であって、対向する第１のフィルム11と第２のフィルム12を第２の長辺ＣＤに沿って第１の短辺ＢＣから第２の短辺ＤＡまで直線状に付着して第１’の付着部１’を形成する［付着は、例えば、熱溶着であり、第１’の付着部１’は、実施例では、直線状で、且つ、部分的に付着しているが、直線状で、且つ、全体的に付着しても良い。］。
同様に、第２の長辺ＣＤより第１の長辺ＡＢに近い側であって、対向する第１のフィルム11と第２のフィルム12を第１の長辺ＡＢに沿って第１の短辺ＢＣから第２の短辺ＤＡまで直線状に付着して第２’の付着部２’を形成する［付着は、例えば、熱溶着であり、第２’の付着部２’は、実施例では、直線状で、且つ、部分的に付着しているが、直線状で、且つ、全体的に付着しても良い。］。
【００２１】
その結果、第１の通路Ｐ1 を介して第１の空所13に空気を吸入すれば、緩衝材Ｘは第１の付着部１、第２の付着部２、第３の付着部３より折曲でき、例えば、図１、図２、図５、図６に示すように、角筒形状とすることができ、また、緩衝材Ｘの第１’の付着部１’、第２’の付着部２’にそれぞれ凹所が形成されるため、被緩衝体（被包装物）100 の収納位置を容易にすることができる（図３、図４及び図７参照）。
即ち、101 は、直方体形状の包装箱で、包装箱101 内に、第１の付着部１、第２の付着部２、第３の付着部３より折曲した角筒形状の緩衝材Ｘが収納されるようになっている。つまり、矩形形状の被緩衝体（被包装物）100 の第１のコ−ナ−Ｃ1 が第１の付着部１で、被緩衝材100 の第２のコ−ナ−Ｃ2 が前記第２の付着部で、被緩衝材100 の第３のコ−ナ−Ｃ3 が第３の付着部３で、それぞれ折曲する。
そして、角筒形状の緩衝材Ｘの外側部分の第１の面（第２の付着部２と第３の付着部３の間に位置する第１のフィルム11の部分）が包装箱101 の内側底面Ｅに、角筒形状の緩衝材Ｘの外側部分の第２の面（第３の付着部３と第１の付着部１の間に位置する第１のフィルム11の部分）が包装箱101 の内側右側面Ｆに、
角筒形状の緩衝材Ｘの外側部分の第３の面（前記第１の面に対向する面、言い換えれば、第１の短辺ＢＣと第１の付着部１との間に位置する第１のフィルム11の部分）が包装箱101 の内側天井面Ｇに、
角筒形状の緩衝材Ｘの外側部分の第４の面（前記第２の面に対向する面、言い換えれば、第２の短辺ＤＡと第２の付着部２との間に位置する第１のフィルム11の部分）が包装箱101 の内側左側面Ｈに、
それぞれ当接するように設けられている。
【００２２】
また、角筒形状の緩衝材Ｘの外側部分の第１の面が角筒形状の緩衝材Ｘの内側部分の第１の面ｅに、角筒形状の緩衝材Ｘの外側部分の第２の面が角筒形状の緩衝材Ｘの内側部分の第２の面ｆに、角筒形状の緩衝材Ｘの外側部分の第３の面が角筒形状の緩衝材Ｘの内側部分の第３の面ｇに、角筒形状の緩衝材Ｘの外側部分の第４の面が角筒形状の緩衝材Ｘの内側部分の第４の面ｈに、それぞれ対応するようになっている。
【００２３】
102 は、第１の支持部材（例えば、ダンボ−ル）で、第１の支持部材102 は、例えば、矩形形状で、第１の支持部材102 の周縁を角筒形状の緩衝材Ｘの内側部分の第１の面ｅ、角筒形状の緩衝材Ｘの内側部分の第２の面ｆ、角筒形状の緩衝材Ｘの内側部分の第３の面ｇ及び角筒形状の緩衝材Ｘの内側部分の第４の面ｈにそれぞれ当接して立設して支持されている。
103 は、第２の支持部材（例えば、ダンボ−ル）で、第２の支持部材103 は、第１の支持部材に対向し、例えば、矩形形状で、第２の支持部材103 の周縁を角筒形状の緩衝材Ｘの内側部分の第１の面ｅ、角筒形状の緩衝材Ｘの内側部分の第２の面ｆ、角筒形状の緩衝材Ｘの内側部分の第３の面ｇ及び角筒形状の緩衝材Ｘの内側部分の第４の面ｈにそれぞれ当接して立設して支持されている。
そして、第２の支持部材103 と第１の支持部材102 との間には、被包装物100 が設けられている。
【００２４】
なお、上述した実施例においては、第１のフィルム11、第２のフィルム12と二枚のフィルムで形成したが、図示しないが、一枚の矩形形状のフィルムの周縁が重なるように折り返して形成しても良く、かかる場合、図８の第１のフィルム11の右側の長辺と、第２のフィルム12の右側の長辺とが一体である以外、上述した実施例と同様であり、この場合、一枚の矩形形状の前記フィルムの折り返された一方は、上述した実施例と同様な第１のフィルム11であり、他方は、第２のフィルム12となるため、その説明を省略する。
【００２５】
また、上述した実施例においては、緩衝材Ｘに折曲自在な第１の付着部１、第２の付着部２、第３の付着部３を設けて、緩衝材Ｘを角筒形状としたが、本願発明にあっては、これに限らず、図14に示す第１の付着部１、第２の付着部２、第３の付着部３の３か所の内２か所を省略し、図16乃至図19に示すように、付着部４を１か所として、緩衝材Ｘを断面をＬ形状としたも良い（更に、図示しないが、緩衝材Ｘに折曲自在な第１の付着部１、第２の付着部２、第３の付着部３に設けず、直線状としても良い。）。
【００２６】
即ち、図16及び図17（又は図18及び図19）に示すように、緩衝材Ｘの本体10は、第１の空所13、第２の空所23に空気が侵入していない状態では、略扁平状の第１の長辺ＡＢ、第１の短辺ＢＣ、第２の長辺ＣＤ、第２の短辺ＤＡからなる長方形状となっている。
そして、第２の短辺ＤＡと第１の短辺ＢＣとの間にあって、対向する第１のフィルム11と第２のフィルム12、対向する第２のフィルム12同士、対向する第２のフィルム12と第１のフィルム11の部分を第１の短辺ＢＣに沿って部分的に直線状に付着（例えば、熱溶着）して付着部４を形成する。
【００２７】
次に、図20乃至図31を参照して、本願発明の他の実施例の緩衝材Ｘを説明する。
図20乃至図29に示すように、第１のフィルム11は矩形形状であり、第２のフィルム12は第１のフィルム11に対向すると共に、第１のフィルム11と同形状の矩形形状となっている。
本体10は、例えば、第１のフィルム11と第２のフィルム12との間に形成された第１の空所13に空気が封入されるように、対向する第１のフィルム11と第２のフィルム12とは、対向する第１のフィルム11と第２のフィルム12との周縁の一部を残して対向する第１のフィルム11と第２のフィルム12の周縁同士が付着（例えば、熱溶着）される（図20乃至図27参照）。
周縁の一部を残して対向する第１のフィルム11と第２のフィルム12の周縁同士が付着された結果、対向する第１のフィルム11と第２のフィルム12との間は、空気が封入される第１の空所13が形成される。
なお、付着されていない対向する第１のフィルム11と第２のフィルム12の周縁の一部に第１の空所13内への空気を入れる第１の通路Ｐ1 が形成される。
この第１の通路Ｐ1 には、第１の空所13内への空気が外方に出るのを阻止する阻止部材（例えば、逆止弁、第１の通路Ｐ1 の通路を塞ぐもので、上述の実施例と同様、対向するフィルムを逆ハの字形状に熱溶着して形成し、空気を逆ハの字形状の狭い側から注入し、注入後は、フィルムの外側より注入した空気の圧力がかかり、第１の通路Ｐ1 の通路が塞がれるようになっている。）が設けられる。
【００２８】
図24乃至図27に示すように、第２のフィルム12が対向すると共に、合致するように折り返され、内側に第２のフィルム12が、外側に第１のフィルム11が、それぞれ位置すると共に、対向する第２のフィルム12の周縁の一部を残して対向する第２のフィルム12の周縁同士が付着され、対向する第２のフィルムの間に補助ポケット（第２の空所）23が形成される（図21参照）。
対向する第２のフィルム12の周縁の付着されていない部分は第２の通路Ｐ’、Ｐ’（又は通路Ｐ’、Ｐ’）を形成し、第２の通路Ｐ’、Ｐ’（又は通路Ｐ’、Ｐ’）の一端が外気に、第２の通路Ｐ’、Ｐ’（又は通路Ｐ’、Ｐ’）の他端が第２の空所23に、それぞれ臨むようになっている。
対向する第２のフィルム12の周縁同士を付着する際、先ず、図24に示す第２のフィルム12の上辺と下辺とを付着（例えば、熱溶着）し、付着後、図20、図27に示すように、付着した上辺と下辺を中央付近に移動させ、図20に示す第２のフィルム12の左辺及び右辺を付着（例えば、熱溶着）する。第２のフィルム12の左辺及び右辺を付着（例えば、熱溶着）する際、対向する第２のフィルム12の周縁の一部（左辺に１か所、右辺に１か所）を残して対向する第２のフィルム12の周縁同士を付着する。このようにすることにより、図28及び図29に示すように、第１の空所13の断面形状を略対称とすることができる。
なお、本体10は、図20及び図21に示すように、第１の空所13、第２の空所23に空気が侵入していない状態では、略扁平状の第１の長辺ＡＢ、第１の短辺ＢＣ、第２の長辺ＣＤ、第２の短辺ＤＡからなる長方形状となっている。
そして、対向する第１のフィルム11と第２のフィルム12、対向する第２のフィルム12同士、対向する第２のフィルム12と第１のフィルム11の部分を第１の短辺ＢＣに沿って部分的に直線状に付着（例えば、熱溶着）して第１の付着部１を形成する。
なお、図20、図24及び図26に斜線で示す部分は、付着（例えば、熱溶着）された部分を示している。
また、第１の長辺ＡＢより第２の長辺ＣＤに近い側であって、積層された積層順に第１のフィルム11、第２のフィルム12、第２のフィルム12、第１のフィルム11を第２の長辺ＣＤに沿って第１の短辺ＢＣから第２の短辺ＤＡまで直線状に付着して第１’の付着部１’を形成する［付着は、例えば、熱溶着であり、第１’の付着部１’は、直線状で、且つ、全体的に付着する］。
同様に、第１’の付着部１’に近い側で、且つ、第２の長辺ＣＤより第１の長辺ＡＢに近い側であって、対向する第１のフィルム11と第２のフィルム12を第１の長辺ＡＢに沿って第１の短辺ＢＣから第２の短辺ＤＡまで直線状に付着して第２’の付着部２’を形成する［付着は、例えば、熱溶着であり、第２’の付着部２’は、直線状で、且つ、全体的に付着する。］。第２’の付着部２’は、図24に示されるように、第１のフィルム11と第２のフィルム12とが対向している段階で、付着されている。
【００２９】
その結果、第１の通路Ｐ1 を介して第１の空所13に空気を吸入すれば、緩衝材Ｘは第１の付着部１より折曲でき、例えば、図30に示すように、コ−ナ−パットとして使用することができ、また、緩衝材Ｘの第１’の付着部１’、第２’の付着部２’により凹所が形成されるため、被緩衝体（被包装物）100 の収納位置を容易にすることができる。
なお、図30及び図31に示す101 は、直方体形状の包装箱で、包装箱101 内に、第１の付着部１より折曲した緩衝材Ｘを各コ−ナ−に収納するようになっている。
【図面の簡単な説明】
【００３０】
【図１】図１は、本発明の一実施例の緩衝材の使用状態の概略的正面図である。
【図２】図２は、図１の緩衝材に外力が作用した状態の概略的正面図である。
【図３】図３は、図１の一部の概略的断面図である。
【図４】図４は、図３の緩衝材に外力が作用した状態の概略的断面図である。
【図５】図５は、図１の緩衝材を包装箱に入れる前の状態の概略的斜視図である。
【図６】図６は、図５の緩衝材を分解して示す概略的斜視図である。
【図７】図７は、図５の緩衝材を包装箱に入れた状態の概略的断面図である。
【図８】図８は、図１の緩衝材の製造過程を示すもので、第１のフィルムと第２のフィルムとが対向している状態の概略的斜視図である。
【図９】図９は、図８の対向している第１のフィルムと第２のフィルムとの周縁を付着した状態の概略的平面図である。
【図１０】図１０は、図９の第２のフィルムを対向すると共に、合致するように折り返し、第２のフィルムの左辺を付着した状態の概略的平面図である。
【図１１】図１１は、図１０の第２のフィルムの左辺を右辺側にずらし、第２のフィルムの上辺及び下辺を付着した状態の概略的平面図である。
【図１２】図１２は、図１１のＷ方向から見た概略的図である。
【図１３】図１３は、図１１の１３−１３線による概略的断面図である。
【図１４】図１４は、図１１の本体に、第１付着部、第２付着部及び第３付着部を形成した状態を示す概略的平面図である。
【図１５】図１５は、図１４の１５−１５線による概略的断面図である。
【図１６】図１６は、図１の緩衝材と異なる他の実施例の緩衝材の使用状態の概略的正面図である。
【図１７】図１７は、空気封入前の図１６の緩衝材の概略的平面図である。
【図１８】図１８は、図１６の緩衝材と異なる他の実施例の緩衝材の使用状態の概略的正面図である。
【図１９】図１９は、空気封入前の図１８の緩衝材の概略的平面図である。
【図２０】図２０は、図１８の緩衝材と異なる他の実施例の、空気封入前の緩衝材の概略的平面図である。
【図２１】図２１は、図２０の２１−２１線による概略的断面図である。
【図２２】図２２は、図２０の２２−２２線による概略的断面図である。
【図２３】図２３は、図２０の２３−２３線による概略的断面図である。
【図２４】図２４は、図２０の緩衝材の製造過程を示すもので、第１のフィルムと第２のフィルムとが対向し、第１のフィルムと第２のフィルムの一部が付着している状態の概略的斜視図である。
【図２５】図２５は、図２４の概略的側面図である。
【図２６】図２６は、図２４及び図２５に示す矢印方向に折り曲げて端部を付着した状態の概略的斜視図である。
【図２７】図２７は、図２６を扁平にした状態の概略的斜視図である。
【図２８】図２８は、図２０の概略的側面図である。
【図２９】図２９は、図２８の緩衝材に空気を封入した状態の概略的側面図である。
【図３０】図３０は、図２０の緩衝材の使用状態の概略的斜視図である。
【図３１】図３１は、図３０の緩衝材を包装箱に収納した状態の概略的断面図である。
【符号の説明】
【００３１】
Ｘ  ・・・・・緩衝材
Ｐ  ・・・・・通路
10  ・・・・・本体
23  ・・・・・補助ポケット（第２の空所）
【図１】
2005119713.tif 000003
【図２】
2005119713.tif 000004
【図３】
2005119713.tif 000005
【図４】
2005119713.tif 000006
【図５】
2005119713.tif 000007
【図６】
2005119713.tif 000008
【図７】
2005119713.tif 000009
【図８】
2005119713.tif 000010
【図９】
2005119713.tif 000011
【図１０】
2005119713.tif 000012
【図１１】
2005119713.tif 000013
【図１２】
2005119713.tif 000014
【図１３】
2005119713.tif 000015
【図１４】
2005119713.tif 000016
【図１５】
2005119713.tif 000017
【図１６】
2005119713.tif 000018
【図１７】
2005119713.tif 000019
【図１８】
2005119713.tif 000020
【図１９】
2005119713.tif 000021
【図２０】
2005119713.tif 000022
【図２１】
2005119713.tif 000023
【図２２】
2005119713.tif 000024
【図２３】
2005119713.tif 000025
【図２４】
2005119713.tif 000026
【図２５】
2005119713.tif 000027
【図２６】
2005119713.tif 000028
【図２７】
2005119713.tif 000029
【図２８】
2005119713.tif 000030
【図２９】
2005119713.tif 000031
【図３０】
2005119713.tif 000032
【図３１】
2005119713.tif 000033